(57)【要約】【課題】複数の導光板を利用して面発光を行うと共に、輝度分布の均一化を図ることが可能な発光装置およびこれを用いた表示装置を提供する。【解決手段】複数の導光板１２同士の間隙１３にＬＥＤパッケージ１４が配設され、このＬＥＤパッケージ１４上に光制御部材１５を備える。光制御部材１５は、湾曲壁面を有する複数の溝１５ａおよび突部１５ｂからなる光分散構造１５Ａを有する。間隙１３からの漏れ光は、光分散構造１５Ａを経て拡散部材１６の間隙１３に対向した領域よりも広い領域に照射される。【選択図】図４
2011216322.tif 000002
【特許請求の範囲】
【請求項１】
表面に光出射面、側端面に光入射面を有する複数の導光板を同一面上に、かつ前記側端面間に間隙を有するように配置してなる導光部と、
前記導光板の光入射面に向けて光を出射する１または複数の発光素子を前記間隙毎に配置してなる光源と、
裏面に光入射面、表面に光出射面を有すると共に光分散構造を有し、前記隣り合う２つの導光板上に前記間隙を覆うように配置された光制御部材と、
前記導光部および光制御部材の上方に配置された拡散部材と、を備え、
前記光分散構造は、前記導光板の側端面に沿った方向に延在すると共に湾曲壁面を有する複数の溝を含み、前記発光素子の出射光のうち前記間隙からの漏れ光を前記拡散部材の前記間隙に対向した領域よりも広い領域に照射する
発光装置。
【請求項２】
前記光制御部材の溝は前記光入射面に形成され、前記発光素子から発して間隙から直接漏れる光線のうち、前記導光板の側端面の法線となす角をθ1、前記発光素子から発して前記間隙から直接漏れる光線のうち，前記導光板の側端面の法線となす角度で最大の値をθ1max、前記発光素子から発して前記間隙から直接漏れる光線のうち，前記導光板の側端面の法線となす角度で最小の値をθ1min、前記溝の湾曲壁面の最大傾斜角（光進行方向と逆側の斜面の傾きを正の値とする）をθ2max、前記溝の湾曲壁面の最小傾斜角（光進行方向側の斜面の傾きを負の値とする）をθ2min、前記光制御部材の屈折率をｎ1、前記間隙の幅をＬ1、前記導光板と拡散部材との間隔をＬ2としたとき、前記溝の壁面傾斜角θ2は式（１），（２）を満たす
請求項１に記載の発光装置。
【数１】
2011216322.tif 000009
【請求項３】
前記導光板間の間隙の幅をＬ1、導光板と拡散板との距離をＬ2、光制御部材による照射範囲をＬ3としたとき、前記光制御部材の幅Ｌ4は式（３）を満たす
請求項２に記載の発光装置。
【数２】
2011216322.tif 000010
【請求項４】
前記導光板の屈折率をｎ2、厚みをＬ6、前記発光素子と導光板の光入射面との距離をＬ7、前記発光素子の中心と導光板の底面との距離をＬ8としたとき、前記光制御部材の前記導光板へのかかり幅Ｌ5は式（４）を満たす
請求項２または３に記載の発光装置。
【数３】
2011216322.tif 000011
【請求項５】
前記光制御部材の光分散構造は、隣り合う溝間にレンチキュラー形状の突部を有する
請求項１記載の発光装置。
【請求項６】
前記発光素子は、パッケージに収容された白色発光ダイオード（ＬＥＤ）である
請求項１に記載の発光装置。
【請求項７】
前記発光素子は前記隣り合う２つの導光板の一方の導光板の側端面に正対するよう配置されている
請求項１記載の発光装置。
【請求項８】
前記発光素子は前記隣り合う２つの導光板の一方の導光板の側端面に対して所定の角度傾斜して配置されている
請求項１記載の発光装置。
【請求項９】
発光装置と、
前記発光装置からの光を画像信号に基づいて変調することにより画像表示を行う表示パネルとを備え、
前記発光装置は、
表面に光出射面、側端面に光入射面を有する複数の導光板を同一面上に、かつ前記側端面間に間隙を有するように配置してなる導光部と、
前記導光板の光入射面に向けて光を出射する１または複数の発光素子を前記間隙毎に配置してなる光源と、
裏面に光入射面、表面に光出射面を有すると共に光分散構造を有し、前記隣り合う２つの導光板上に前記間隙を覆うように配置された光制御部材と、
前記導光部および光制御部材の上方に配置された拡散部材と、を備え、
前記光分散構造は、前記導光板の側端面に沿った方向に延在すると共に湾曲壁面を有する複数の溝を含み、前記発光素子の出射光のうち前記間隙からの漏れ光を前記拡散部材の前記間隙に対向した領域よりも広い領域に照射する
表示装置。
【請求項１０】
前記光制御部材の溝は前記光入射面に形成され、前記発光素子から発して間隙から直接漏れる光線のうち、前記導光板の側端面の法線となす角をθ1、前記発光素子から発して前記間隙から直接漏れる光線のうち，前記導光板の側端面の法線となす角度で最大の値をθ1max、前記発光素子から発して前記間隙から直接漏れる光線のうち，前記導光板の側端面の法線となす角度で最小の値をθ1min、前記溝の湾曲壁面の最大傾斜角（光進行方向と逆側の斜面の傾きを正の値とする）をθ2max、前記溝の湾曲壁面の最小傾斜角（光進行方向側の斜面の傾きを負の値とする）をθ2min、前記光制御部材の屈折率をｎ1、前記間隙の幅をＬ1、前記導光板と拡散部材との間隔をＬ2としたとき、前記溝の壁面傾斜角θ2は式（５），（６）を満たす
請求項９に記載の表示装置。
【数４】
2011216322.tif 000012
【請求項１１】
前記導光板間の間隙の幅をＬ1、導光板と拡散板との距離をＬ2、光制御部材による照射範囲をＬ3としたとき、前記光制御部材の幅Ｌ4は式（７）を満たす
請求項１０に記載の表示装置。
【数５】
2011216322.tif 000013
【請求項１２】
前記導光板の屈折率をｎ2、厚みをＬ6、前記発光素子と導光板の光入射面との距離をＬ7、前記発光素子の中心と導光板の底面との距離をＬ8としたとき、前記光制御部材の前記導光板へのかかり幅Ｌ5は式（８）を満たす
請求項９または１０に記載の表示装置。
【数６】
2011216322.tif 000014
【発明の詳細な説明】
【技術分野】
【０００１】
本発明は、複数の導光板を用いて面発光を行う発光装置およびこの発光装置を備えた表示装置に関する。
【背景技術】
【０００２】
一般に、テレビ、携帯電話、ノートＰＣ（Personal Computer)、デジタルカメラ等の各種電子機器に用いられる液晶ディスプレイ（ＬＣＤ：Liquid Crystal Display）は、液晶パネルを照明するバックライトを備えている。バックライトとしては、例えば導光板の側面に発光ダイオード（ＬＥＤ：Light Emitting Diode）を設けた光源モジュールが用いられ、ＬＥＤとしては、白色光を出射するＬＥＤチップを耐熱ポリマーやセラミック等のパッケージに実装したものを用いることが多い。
【０００３】
このような光源モジュールを複数個並べて配置することにより、画面サイズの大型化や、いわゆる部分駆動方式に対応可能な発光装置が提案されている（例えば、特許文献１，２参照）。
【先行技術文献】
【特許文献】
【０００４】
【特許文献１】特開２００８−１０８６２３号公報
【特許文献２】特開２００７−２９３３３９号公報
【発明の概要】
【発明が解決しようとする課題】
【０００５】
ここで、上記のようなＬＥＤを用いた光源モジュールでは、ＬＥＤから導光板の内部へ向けて白色光を入射させ、この白色光を導光板の一面（発光面）から取り出すことにより面発光を行う。ところがその際、ＬＥＤチップから発せられる光の一部が導光板間の間隙から漏れ、導光板内部へ入射することなく、そのままＬＥＤの上部へ射出されてしまうことがある。このような漏れ光があると、導光板同士の境界近傍では輝度が局所的に大きくなり、均一な面発光が得られなくなる。
【０００６】
携帯電話等のモバイル用途の液晶ディスプレイでは、画面サイズが小さいため、上記光源モジュールが単体で用いられることが多い。このためＬＥＤは表示画面の外側（額縁）に配置され、ＬＥＤからの漏れ光は額縁において遮光される。よって、導光板を単体で使用する場合には、上記のような漏れ光による影響は特に問題とならない。
【０００７】
しかしながら、上記特許文献１，２のように複数の光源モジュールを並べて配置した構成を有するディスプレイでは、導光板同士の境界付近にＬＥＤが配設される。即ち、表示画面内の局所的な領域にＬＥＤが配置されることとなる。そのため複数の導光板を用いた発光装置では、導光板同士の境界付近に上記のような輝度の不均一が発生するという問題があった。
【０００８】
本発明はかかる問題点に鑑みてなされたもので、その目的は、複数の導光板を利用して面発光を行うと共に輝度分布の均一化を図ることが可能な発光装置およびこれを用いた表示装置を提供することにある。
【課題を解決するための手段】
【０００９】
本発明による発光装置は、以下の（Ａ）〜（Ｅ）の要素を備えたものである。
（Ａ）表面に光出射面、側端面に光入射面を有する複数の導光板を同一面上に、かつ前記側端面間に間隙を有するように配置してなる導光部
（Ｂ）導光板の光入射面に向けて光を出射する１または複数の発光素子を間隙毎に配置してなる光源
（Ｃ）裏面に光入射面、表面に光出射面を有すると共に光分散構造を有し、前記隣り合う２つの導光板上に前記間隙を覆うように配置された光制御部材
（Ｄ）導光部および光制御部材の上方に配置された拡散部材
（Ｅ）光分散構造は、導光板の側端面に沿った方向に延在すると共に湾曲壁面を有する複数の溝を含み、発光素子の出射光のうち間隙からの漏れ光を拡散部材の間隙に対向した領域よりも広い領域に照射すること
【００１０】
本発明の表示装置は、上記本発明の発光装置と、この発光装置からの光を用いて画像表示を行う表示パネルとを備えている。
【００１１】
本発明の発光装置および表示装置では、発光素子から導光板の内部に入射した光は、導光板内を繰り返し反射することにより伝播されつつ、導光板の上面（光出射面）から照明光として取り出され、これにより面発光がなされる。一方、導光板に入射することなく間隙から漏れ出た光（漏れ光）は、光分散構造を有する光制御部材によって、拡散部材の間隙に対向した領域よりも広い領域に照射される。これにより漏れ光が分散され、導光板同士の境界付近での輝度の大きさが抑制される。
【００１２】
本発明の発光装置および表示装置では、上記作用を効果的に発揮するために以下の態様とすることが望ましい。
【００１３】
［１］光制御部材の溝は前記光入射面に形成され、溝の壁面傾斜角θ2は式（１），（２）を満たすこと
但し、発光素子から発して間隙から直接漏れる光線のうち、導光板の側端面の法線となす角をθ１ 、発光素子から発して間隙から直接漏れる光線のうち，導光板の側端面の法線となす角度で最大の値をθ1max、発光素子から発して間隙から直接漏れる光線のうち，導光板の側端面の法線となす角度で最小の値をθ1min、溝の湾曲壁面の最大傾斜角（光進行方向と逆側の斜面の傾きを正の値とする）をθ2max、溝の湾曲壁面の最小傾斜角（光進行方向側の斜面の傾きを負の値とする）をθ2min、光制御部材の屈折率をｎ1、間隙の幅をＬ1、導光板と拡散部材との間隔をＬ2とする。
【００１４】
【数１】
2011216322.tif 000003
【００１５】
［２］光制御部材の幅Ｌ4は式（３）を満たすこと
但し、導光板間の間隙の幅をＬ1、導光板と拡散板との距離をＬ2、光制御部材による照射範囲をＬ3とする。
【００１６】
【数２】
2011216322.tif 000004
【００１７】
光制御部材の導光板へのかかり幅Ｌ5は式（４）を満たすこと
但し、導光板の屈折率をｎ2、厚みをＬ6、発光素子と導光板の光入射面との距離をＬ7、発光素子の中心と導光板の底面との距離をＬ8とする。
【００１８】
【数３】
2011216322.tif 000005
【発明の効果】
【００１９】
本発明の発光装置によれば、導光板同士の間隙上に、光分散構造を有する光制御部材を配置するようにしたので、間隙から漏れ光を拡散部材の間隙に対向した領域よりも広い領域に照射することができる。よって、複数の導光板を利用して面発光を行うと共に照明光の輝度の均一化を図ることが可能となる。また、これにより本発明の表示装置では、画質の安定した画像表示を行うことができる。
【図面の簡単な説明】
【００２０】
【図１】本発明の一実施の形態に係る表示装置の概略構成を表す斜視図である。
【図２】図１の表示装置に用いる発光装置の平面図である。
【図３】図２のＩＩＩ−ＩＩＩ線に沿う断面図である。
【図４】光制御部材の適正条件を説明するための断面図である。
【図５】光制御部材の光分散構造を説明するための断面図である。
【図６】光分散構造の他の例を説明するための図である。
【図７】光制御部材の適正条件を説明するための図である。
【図８】同じく適正条件を説明するための図である。
【図９】同じく適正条件を説明するための図である。
【図１０】同じく適正条件を説明するための図である。
【図１１】光制御部材の導光板への密着構造を説明するための図である。
【図１２】ＬＥＤの傾斜配置構造を表す図である。
【図１３】実施例１に係る発光装置の構造を説明するための図である。
【図１４】比較例１に係る発光装置を表す図である。
【図１５】比較例２に係る発光装置を表す図である。
【図１６】比較例３に係る発光装置を表す図である。
【図１７】比較例４に係る発光装置を表す図である。
【図１８】実施例および比較例１〜４における導光板境界付近の輝度分布を表す図である。
【発明を実施するための形態】
【００２１】
以下、本発明の実施の形態について、図面を参照して詳細に説明する。なお、説明は以下の順序で行う。
１．発光装置をバックライトとして用いた表示装置の概要
２．発光装置の詳細
３．比較例との対比
【００２２】
［表示装置１の構成］
図１は本発明の一実施の形態に係る表示装置１の概略構成を表すものである。この表示装置１は例えば液晶ディスプレイであり、発光装置（バックライト）１０の前面に表示パネル（液晶パネル）２０を備えている。表示パネル２０は、例えばＶＡ（Vertical Alignment）モード、ＴＮ（Twisted Nematic ）モード、ＩＰＳ（In-Plane Switching）モード等の液晶を一対の基板間に封止してなるものである。
［発光装置１０の構成］
【００２３】
発光装置１０は、図２に平面構成を表したように、筐体１１内に、複数（ここでは６枚）の導光板１２を同一面上に１次元配列してなるものである。これら複数の導光板１２により本発明の導光部が構成されている。これら導光板１２同士の間には所定の幅の間隙１３が設けられている。各間隙１３には、光源として、１または複数個（ここでは、例えば２０個）のＬＥＤパッケージ１４が配設されている。ＬＥＤパッケージ１４は、図４で示したようにＬＥＤ（Light Emitting Diode) １４ａをパッケージ１４ｂ内に実装したものであり、ＬＥＤ１４ａから対向する導光板１２の側端面１２ｂに向けて光を出射するようになっている。
【００２４】
本実施の形態では、このＬＥＤパッケージ１４上において、隣り合う導光板１２同士に跨がるよう、すなわち間隙１３を覆うようにして光制御部材１５が設けられている。光制御部材１５の上には拡散部材（拡散シート）１６が設けられている。この拡散部材１６の上には表示パネル２０（図１）が配置されている。
【００２５】
以下、発光装置１０の各部の具体的な構成について説明する。
【００２６】
導光板１２は、光を伝播させて表面の光出射面（発光面）１２ａへと導くための平板状の光学部材であり、側端面１２ｂがＬＥＤ１４ａからの光の入射面（光入射面）となっている。この導光板１２の構成材料としては、例えばポリカーボネートやアクリル等の透明材料が挙げられる。導光板１２の上面若しくは下面には光出射を促すような乱反射パターンが設けられている。この乱反射パターンは例えばシルクスクリーン印刷やプリズム形状によって形成される。各導光板１２の平面形状は例えば矩形状である。各導光板１２の下面には拡散反射のための反射シート１７が設けられている。また、ＬＥＤパッケージ１４の背面側の導光板１２の側端面には反射テープ１８が付着されている。これにより各導光板１２では、ＬＥＤ１４ａの点灯により側端面１２ｂから入射した光を上面（光出射面１２ａ）へ導くようになっている。
【００２７】
ＬＥＤ１４ａは例えば青色光を出射する発光ダイオードチップであり、パッケージ１４ｂは例えば耐熱ポリマーやセラミック等により構成されている。ＬＥＤ１４ａから出射された青色光は、この青色光によってチップ周囲に存在する蛍光体が励起されて出射する黄色光と合成されて白色光となる。ＬＥＤパッケージ１４はＬＥＤ１４ａが導光板１２の側端面１２ｂに正対するよう垂直に配置されている。ＬＥＤ１４ａと導光板１２の側端面１２ｂとの距離ｄは、例えば０．５ｍｍ以上１．３ｍｍであるが、これに限るものではない。
【００２８】
ＬＥＤパッケージ１４は、例えばフレキシブル基板（ＦＰＣ：Flexible Printed Circuit）等の回路基板１９に実装され、図示しない駆動回路部の制御に応じて、点灯および消灯の切り替えがなされるようになっている。なお、ここでは、導光板１２の１つの側面に２０個のＬＥＤパッケージ１４を設けた場合を例に挙げたが、このＬＥＤパッケージ１４の個数や配置間隔等は、特に限定されず、必要とされる光量や導光板１２のサイズ等に応じて適宜設定されればよい。
【００２９】
光制御部材１５は図４に示したように光分散構造１５Ａを有する透光板であり、裏面（間隙１３と対向する側）が光入射面１５ａ、表面（拡散部材１６と対向する側）が光出射面１５ｂとなっている。光制御部材１５は、その平面形状が長手方向が間隙１３に沿った矩形であり、隣り合う２つの導光板１２，１２上に間隙１３を覆うように配置されている。なお、光制御部材１５の平面形状は矩形に限らず、後述のように部分的に変形していてもよい（図１１参照）。また、光制御部材１５には拡散剤が含まれていてもよい。透光板のレンズ効果と拡散剤の拡散効果とのバランスにより、より優れた光分散効果を得ることができる。
【００３０】
本実施の形態では、この光分散構造１５Ａにより、間隙１３から漏れ出たＬＥＤ１４ａからの光（漏れ光）を光制御部材１５から拡散部材１６の間隙１３に対向した領域Ｇ（図４）よりも広い領域に分散し、これにより漏れ光に起因して局所的に輝度が高くなること（輝線の発生）を抑制するようになっている。
【００３１】
光分散構造１５Ａは、光制御部材１５の上面または裏面のいずれかに設ければよいが、ここでは裏面側に設けた例について説明する。この光分散構造１５Ａは、図５に拡大して示したように複数の溝１５ａを含むものである。図中、矢印Ａは導光板１２内での光進行方向を表している。溝１５ａは導光板１２の側端面１２ｂに沿った方向に延在しており、直線状の底部１５ａ1を中心に溝１５ａの内側に向けて湾曲しつつ拡がる２つの湾曲壁面１５ａ2を有する。隣り合う溝１５ａ，１５ａ間は断面がレンチキュラー形状の突部１５ｂとなっている。レンチキュラー形状には円弧形状や半楕円なとの非円形状が含まれる。なお、突部１５ｂの形状は溝１５ａに実質的な湾曲壁面１５ａ2が形成されるものであれば、多少変形されていてもよい。例えば、図６に示したような突部１５ｂの先端近傍に凹み１５ｂ1，１５ｂ1を有する形状としてもよい。なお、突部１５ｂの高さは例えば４０〜５０μｍ、ピッチは例えば９０〜１００μｍである。
【００３２】
このような光制御部材１５は、例えば光透過率の高い合成樹脂により構成することができる。このような合成樹脂としては、メタクリル樹脂、アクリル系樹脂、ポリカーボネート系樹脂、塩化ビニル系樹脂が挙げられる。光制御部材１５の成形は、押出成形、射出成形等の通常の成形方法を用いることができる。光分散構造１５Ａは、例えば成形した透明合成樹脂板を所望の表面構造を有する型部材を用いて熱プレスすることで形成することができる。また、押出成形や射出成形等によって光制御部材１５の成形と同時に光分散構造１５Ａを形成するようにしてもよい。
【００３３】
本実施の形態の発光装置１０では、漏れ光に起因して局所的に輝度が高くなることを抑制するためには、光制御部材１５の光分散構造１５Ａは以下の条件（ａ）を満たすことが好ましく、更には（ｂ），（ｃ）の条件を満たすことがより好ましい。
【００３４】
（ａ）ＬＥＤ１４ａから発して間隙１３から直接漏れる光線のうち、導光板１２の側端面１２ｂの法線となす角をθ1とした場合、溝１５ａの壁面傾斜角θ2が式（１），（２）を満たすこと（図５，図７参照）。
但し、ＬＥＤ１４ａから発して間隙１３から直接漏れる光線のうち，導光板１２の側端面１２ｂの法線となす角度で最大の値をθ1max、ＬＥＤ１４ａから発して間隙１３から直接漏れる光線のうち，導光板１２の側端面１２ｂの法線となす角度で最小の値をθ1min、溝１２の壁面の最大傾斜角（光進行方向と逆側の斜面の傾きを正の値とする）をθ2max、溝１２の壁面の最小傾斜角（光進行方向側の斜面の傾きを負の値とする）をθ2min、光制御部材１５の屈折率をｎ1、間隙１３の幅をＬ1、導光板１２と拡散部材１６との間隔をＬ2とする。
【００３５】
式（１）を満たすことにより、光制御部材１５から出射された光線の、拡散部材１６の入射面での照射領域の一方の端部（図４では右側端部）を規定することができる。即ち、漏れ光が間隙１２の右端部より外側、更には光制御部材１５の右端部より外側に広く分散するようになる。また、式（２）を満たすことにより、漏れ光が間隙１３の直上および間隙１３の左端部より外側に広く分散するようになる。これにより間隙１３近辺の暗部を明るくすることができる。
【００３６】
【数１】
2011216322.tif 000006
【００３７】
（ｂ）光制御部材１５の幅Ｌ4は式（３）を満たすこと（図７，図９参照）。
但し、導光板１２，１２間の間隙の幅をＬ1、導光板１２と拡散部材１６との距離をＬ2、光制御部材１５による照射範囲をＬ3とする。
この条件を満たすことにより、導光板１２の光出射面１２ａからの面発光に影響を与えることがないように、光制御部材１５の幅を適正値とすることができる。
【００３８】
【数２】
2011216322.tif 000007
【００３９】
（ｃ）光制御部材１５の光入射側の導光板１２へのかかり幅Ｌ５ が式（４）を満たすこと（図１０参照）。
但し、導光板１２の屈折率をｎ2、厚みをＬ6、ＬＥＤ１４ａと導光板１２の光入射面（側端面１２ｂ）との距離をＬ7、ＬＥＤ１４ａの中心と導光板１２の底面（反射シート１７）との距離をＬ8とする。
この条件を満たすことにより、導光板１２の光出射面１２ａからの面発光に影響を与えることがないように、光制御部材１５のかかり幅Ｌ5を適正値とすることができる。
【００４０】
【数３】
2011216322.tif 000008
【００４１】
光制御部材１５の上に配置された拡散部材１６は、具体的には拡散板や拡散フィルムであり、導光板１２から発せられた光の面内輝度分布や放射角を調整し、表示パネル２０に対するバックライトとしての照明光を形成するものである。
【００４２】
図１１は光制御部材１５の導光板１２への密着構造を表したものである。導光板１２，１２の対向面にはそれぞれ適宜の間隔で円弧状の切欠き３０Ａ，３０Ｂが設けられ、これら切欠き３０Ａ，３０Ｂに対向して光制御部材１５には円形の固定孔３１が設けられている。これら固定孔３１および切欠き３０Ａ，３０Ｂを通してビス（図示せず）などの締結手段によって光制御部材１５を導光板１２に密着させることができ、これにより安定した光制御を行うことができる（図１１（Ａ））。なお、光制御部材１５には固定孔３１の両側部分に拡幅部３２を設けるようにしてもよい（図１１（Ｂ））。また、光制御部材１５と導光板１２とは密着していることが理想であるが、これに限らず離れていてもよい。
【００４３】
上記実施の形態では、ＬＥＤパッケージ１４はＬＥＤ１４ａが導光板１２の側端面１２ｂに正対するよう垂直に配置されているものとして説明したが、図１２に示したように導光板１２の側端面１２ｂに対して所定の角度βだけ傾斜するように配置してもよい。傾斜角度βは、回路基板１９の表面の法線を基準として反時計回りを＋、時計回りを−とすると、例えば−９度以上３度以下である。この範囲であれば、直接漏れる光量が輝度むらに対して最適になるため、輝度むらの発生が抑制される。
【００４４】
［発光装置の作用および効果］
次に、上記構造を有する発光装置１０による作用および効果について説明する。この発光装置１０では、ＬＥＤ１４ａから導光板１２の内部に入射した光は、導光板１２内を繰り返し反射することにより伝播されつつ、導光板１２の上面（光出射面）から拡散部材１６に照射され、照明光として取り出される。これにより面発光がなされる。
【００４５】
ところが、この一方で、ＬＥＤ１４ａから導光板１２の内部へ入射することなく、間隙１３から直接に漏れる光（漏れ光）が生じる。このような漏れ光によって輝度分布が不均一となることは前述のとおりである。
【００４６】
ここで、本実施の形態の発光装置２０に対する実施例１と比較例１〜４について説明する。なお、比較例１〜４において本実施の形態と共通する要素については同一符号を付すものとする。
【００４７】
実施例１では、光制御部材１５の厚みおよび長さ、間隙１３の幅、導光板１２の厚み、反射シート１７および反射テープ１９の厚み等は図１３に示した値とした。これは前述の要件（ａ）〜（ｃ）を満たしている。なお、光制御部材１５の突部１５ｂは図５に示した断面形状を有するものとし、その高さは４６μｍ、ピッチは９６μｍとした。比較例１（図１４）は導光板１２，１２間の間隙１３の上に光制御部材１５が設けられていないことを除いて、本実施の形態と同様の構成とした。比較例２（図１５）は間隙１３の上に光制御部材１５０を有するものとした。この光制御部材１５０の上面（拡散部材１６との対向面）には導光板１２の側端面に沿った方向に延在するＶ字形状の溝１５０ａが設けられている。即ち、比較例２では実施例１とは溝の形状および位置が異なっている。比較例３（図１６）は導光板１２，１２間の間隙１３の上に反射性の光制御部材１５１、比較例４（図１７）は間隙１３の上に散乱剤入りの光制御部材１５２を有するものである。
【００４８】
図１０は、実施例１および比較例１〜４による導光板１２，１２の境界付近の輝度分布を表したものである。比較例１では直線光がそのまま間隙１３から漏れるので輝度ピークが大きくなっている。比較例２では屈折によって漏れ光の方向が変化するものの、ピークは強いままとなっている。比較例３では大部分の光が遮蔽されてしまうので、暗い領域が発生する。比較例４では拡散効果によりピークは緩和するものの、均一化には不十分となっている。
【００４９】
これに対し、実施例１では、光制御部材１５が前述の要件（ａ）〜（ｃ）を満たしており、湾曲壁面を有する溝１５ａによる光分散効果によって、ピークは大幅に緩和され、略均一な輝度分布となっている。即ち、間隙１３からの漏れ光は、光制御部材１５を通過することにより間隙１３の幅、更に光制御部材１５の幅より大きく分散される。その結果、拡散部材１６からは均一な輝度分布を有する照明光が出射される。よって照明光全体として輝度むらのない白色光を得ることができる。
【００５０】
以上のように、本実施の形態では、同一面上に複数の導光板１２を配置し、隣り合う導光板１２同士の間隙１３にＬＥＤパッケージ１４を配設すると共に、このＬＥＤパッケージ１４上に光分散構造１５Ａを備えた光制御部材１５を設けるようにしたので、均一な輝度分布を有する白色光を射出することができる。よって、複数の導光板１２を利用して面発光を行うと共に、輝度むらの発生を抑制することが可能となる。また、これにより特に大型のディスプレイ装置や部分駆動方式を利用したディスプレイ装置に好適なバックライトを実現することができる。
【００５１】
すなわち、このような発光装置１０を有する表示装置１（図１）では、発光装置１０において駆動回路部の制御によりＬＥＤパッケージ１４が点灯されると共に、表示パネル２０において発光装置１０からの照明光を画像信号に基づいて変調することにより画像表示が行われる。この表示装置１では、上述のように発光装置１０から照射される照明光の輝度むらが抑制されているので、良好な表示画質を得ることができる。また、多数の導光板１２を並べて配置することにより、大型の液晶ディスプレイにも対応可能となる。あるいは、発光装置１０において複数の導光板１２によって分割された領域ごとに点灯および消灯を駆動制御（部分駆動制御）することが可能となる。
【００５２】
以上、実施の形態および実施例を挙げて本発明を説明したが、本発明は上記実施の形態等に限定されるものではなく、種々の変形が可能である。例えば、上記実施の形態等では、光制御部材１５の構成要素が上記要件（ａ）〜（ｃ）を満たすものとしたが、これは好適な例であって、少なくとも複数の溝１５ａが湾曲壁面を有する構造（光分散構造１５Ａ）を備えていれば、漏れ光の分散効果を得ることができる。
【００５３】
更に、上記実施の形態等では、導光板が平板状であり、その平面形状が矩形である場合を例に挙げて説明したが、これに限らず、平面形状は正方形や楔形等であってもよい。
【００５４】
加えて、上記実施の形態等では、導光板が１次元配列された構成を例に挙げて説明したが、導光板の配置構成はこれに限定されない。同一面上に配置されていれば、例えば、複数の導光板を行・列方向に２次元配列した構成としてもよい。
【００５５】
また、ＬＥＤ１４ａの配設位置は導光板の１つの側面に対向する位置に限らず、２つあるいは３つの側面それぞれに対向する位置としてもよい。それに応じて光制御部材の数を設定することにより、上記と同等の効果を得ることができる。
【符号の説明】
【００５６】
１…表示装置、１０…発光装置、１１…筐体、１２…導光板、１３…間隙、１４…ＬＥＤパッケージ、１４ａ…ＬＥＤ、１４ｂ…パッケージ、１５…光制御部材、１５ａ…溝、１５ａ2…湾曲壁面、１５ｂ…突条部、１６…拡散部材、２０…表示パネル（液晶パネル）
【図１】
2011216322.tif 000015
【図２】
2011216322.tif 000016
【図３】
2011216322.tif 000017
【図４】
2011216322.tif 000018
【図５】
2011216322.tif 000019
【図６】
2011216322.tif 000020
【図７】
2011216322.tif 000021
【図８】
2011216322.tif 000022
【図９】
2011216322.tif 000023
【図１０】
2011216322.tif 000024
【図１１】
2011216322.tif 000025
【図１２】
2011216322.tif 000026
【図１３】
2011216322.tif 000027
【図１４】
2011216322.tif 000028
【図１５】
2011216322.tif 000029
【図１６】
2011216322.tif 000030
【図１７】
2011216322.tif 000031
【図１８】
2011216322.tif 000032